(57)【特許請求の範囲】
【請求項１】
挿入された電線の一側に当接する１つの接触板と、相並設されて前記電線を前記接触板に押圧するとともに抜止め係止する一対の鎖錠片と、前記接触板上の前記一対の鎖錠片のほぼ間の位置に突設されて前記電線の挿入方向を規制するガイド凸部と、前記接触板および前記鎖錠片を収納する収納部を有するケースとを備え、前記１つの接触板は帯状の矩形導電板であり、一端に略直角に折曲片を折曲し、前記一対の鎖錠片は前記折曲片を前記接触板側に切起こすことにより前記折曲片に並べて形成され、前記一対の鎖錠片の先端が前記接触板上の前記一端に並んで位置したものであり、前記ガイド凸部は並んで位置した前記一対の鎖錠片の先端の間で前記接触板上に位置しかつ電線挿入方向に長い略長方体状であり、前記ケースに一体に形成され、前記接触板に前記ガイド凸部を貫通させる長孔を形成した電線接続装置。
【請求項２】
前記鎖錠片は先端に電線を位置決めする凹部を有する請求項１記載の電線接続装置。
【発明の詳細な説明】
【０００１】
【発明の属する技術分野】
この発明は、照明器具等に用いる電源端子台等に適用される電線接続装置に関するものである。
【０００２】
【従来の技術】
従来例を図７から図１０により説明する。帯状の矩形導電板で形成した接触板５０の一端に略直角に折曲片５１を折曲し、鎖錠片５２は折曲片５１を接触板５０側に切起こすことにより形成している。５４はケース、５５は電線挿入孔、５６はケース５４の外形規制部、５７は電線である。
【０００３】
電線５７を鎖錠片５２の切り抜き穴５８を通して接触板５０と鎖錠片５２との間に挿通すると、電線５７の外径分鎖錠片５２が切り抜き穴５８から離れるように傾き電線５７に抜止め係止する。
【０００４】
【発明が解決しようとする課題】
しかし、図１０に示すように電線５７を斜め方向に挿入すると電線５７が鎖錠片５２でなく、側方空間部に入り込む可能性がある。
【０００５】
またケース５４は接触板５０である端子の外形を規制する外形規制部５６を有するため複数箇所での規制が必要であり、小型化への障害要因となっていた。すなわち電線接続時に電線５７が斜めに挿入された場合、鎖錠片５２の電線鎖錠部５２ａと接触板５０との間に挟持されず、鎖錠片５２の側方空間部に入って鎖錠されないため電線５７の抜けや不完全接続による発煙・発火のおそれがあった。
【０００６】
またこのような速結端子の位置決めは端子外形を絶縁ケース５４の外形規制部５６に嵌合させて行なっていたため、複数の外形規制部５６等が必要になり、位置規制が難しかった。端子外形を絶縁ケース５４に嵌合させる外形規制であるため端子の外側に絶縁ケース５４の部材が必要であり、小型化への障害要因となっていた。
【０００７】
したがって、この発明の目的は、電線が傾いて挿入されるのを防止できる電線接続器を提供することである。
【０００８】
【課題を解決するための手段】
請求項１記載の電線接続器は、挿入された電線の一側に当接する１つの接触板と、相並設されて前記電線を前記接触板に押圧するとともに抜止め係止する一対の鎖錠片と、前記接触板上の前記一対の鎖錠片のほぼ間の位置に突設されて前記電線の挿入方向を規制するガイド凸部と、前記接触板および前記鎖錠片を収納する収納部を有するケースとを備え、前記１つの接触板は帯状の矩形導電板であり、一端に略直角に折曲片を折曲し、前記一対の鎖錠片は前記折曲片を前記接触板側に切起こすことにより前記折曲片に並べて形成され、前記一対の鎖錠片の先端が前記接触板上の前記一端に並んで位置したものであり、前記ガイド凸部は並んで位置した前記一対の鎖錠片の先端の間で前記接触板上に位置しかつ電線挿入方向に長い略長方体状であり、前記ケースに一体に形成され、前記接触板に前記ガイド凸部を貫通させる長孔を形成したものである。
【０００９】
請求項１記載の電線接続器によれば、ガイド凸部により接続電線がガイドされ鎖錠片以外の部位に入るのを規制されるため、電線が斜め挿入されても鎖錠片に確実に挿入でき、電線抜けや不完全接続による発煙・発火等のトラブルを起こすことを防止できる。
【００１０】
また前記ガイド凸部が前記ケースに一体に形成され、前記接触板に前記ガイド凸部を貫通させる孔を形成したため、接触板の位置規制を接触板に係合する絶縁のケースで構成でき、回転方向や接触板の縦横方向の位置規制等を１つのガイド凸部で兼用できるため、容易に位置規制ができ接触板の外形規制手段を削減できるので小型化できる。
【００１２】
さらに前記ガイド凸部が電線挿入方向に長い略長方体状であり、前記孔は前記ガイド凸部を嵌通させる長孔であるため、ガイド凸部の突出方向のまわりの回転も規制できる。
【００１６】
請求項２記載の電線接続器は、請求項１において、前記鎖錠片が先端に電線を位置決めする凹部を有するものである。
【００１７】
請求項２記載の電線接続器によれば、請求項１と同様な効果のほか、ガイド凸部と相まって電線の傾き防止効果が高い。
【００１８】
【発明の実施の形態】
この発明の第１の実施の形態を図１から図４により説明する。すなわち、この電線接続器は、接触板１と、一対の鎖錠片２、３と、ガイド凸部４と、ケース５を有する。
【００１９】
接触板１は、挿入された電線９の一側に当接するもので、帯状の矩形導電板により形成し、一端に略直角に折曲片６を折曲している。
【００２０】
一対の鎖錠片２、３は並設され、電線９を接触板１に押圧するとともに抜止め係止するもので、折曲片６を接触板１側に切起こすことにより形成し、先端に電線９を位置決めする凹部７を略逆三角形状に折曲している。
【００２１】
ガイド凸部４は、接触板１上の一対の鎖錠片２、３のほぼ間の位置に突設されて電線９の挿入方向を規制するもので、ケース５に一体に形成され、接触板１にガイド凸部４を貫通させる孔８を形成している。ガイド凸部４は電線挿入方向に長い略長方体状であり、短手方向の厚みは鎖錠片２、３の先端間寸法と同寸法以下にしている。孔８はガイド凸部４を嵌通させる長孔である。ケース５は、接触板１および鎖錠片２、３を収納する収納部３３を有する。
【００２２】
電線９を折曲板６の鎖錠片２の切り抜き穴２５から挿入し鎖錠部７と接触板１との間に挿通すると、鎖錠片２が押上げられる力の反作用で電線９を接触板１に押付け、鎖錠部７で抜止め係止する。このとき、電線９が鎖錠片３側に傾いて挿入されると電線９の先端がガイド凸部４に当たり傾きが規制され、電線９が鎖錠片２から外れるのを規制される。
【００２３】
図４に示す電線接続器は電源端子台に適用したものである。鎖錠片２、３を有する速結端子１１は導電板１２の一端に設けられ、他端にさらに別の速結端子部１３を設けている。１４はアース用速結端子、１５はそのアース舌片である。
【００２４】
ケース５は樹脂ボディ１６と樹脂カバー１７からなる。樹脂ボディ１６において、１８は電線挿入孔、１９はカバー取付爪、２０は取付爪である。樹脂カバー１７において、２２は電線挿入孔、２３は解錠穴、２４は電線挿通孔、２５は爪係止孔である。
【００２５】
２６は取付板であり、２７は取付爪２０が係止する角穴、２８はアース舌片１５が係止する孔、２９は取付ねじ用穴、３０は樹脂ボディ１６に形成した位置決め突起（図示せず）が嵌合する穴、３１は穴２９に通す取付ねじである。
【００２６】
第１の実施の形態によれば、ガイド凸部４により接続電線９がガイドされ鎖錠片２、３以外の部位に入るのを規制されるため、電線抜けや不完全接続による発煙・発火等のトラブルを起こすことを防止できる。接触板１の位置規制を接触板１に係合する絶縁のケース５で構成でき、回転方向（図１の矢印Ｒ）や接触板１の縦横方向（図１の矢印Ｘ、Ｙ）の位置規制を１つのガイド凸部４で行なえるため、容易に位置規制ができる。ガイド凸部４が長方体状であるため突出方向のまわりの回転も規制できる。ガイド凸部４と鎖錠部７とにより相まって電線９の傾き防止効果が高い。
【００２７】
この発明の第２の実施の形態を図５により説明する。すなわち、第１の実施の形態の鎖錠片２、３の間の柱部３５（図３）をなくし、折曲片６の切起こし部分の中間に切筋をつけることにより鎖錠片２、３を形成し、鎖錠片２、３の幅を広げたものである。この場合、鎖錠片２、３の鎖錠部７のある先端側を幅狭に形成して鎖錠片２、３の間の位置にガイド凸部４の一部が位置するようにしている。その他は第１の実施の形態と同様である。
【００２８】
この発明の第３の実施の形態を図６により説明する。すなわち、第１の実施の形態において、ガイド凸部４をケース５のカバー１７側から突出して孔８に貫通し、先端を樹脂ボディ１６に設けた凹部３６に嵌合している。その他は第１の実施の形態と同様である。
【００２９】
【発明の効果】
請求項１記載の電線接続器によれば、ガイド凸部により接続電線がガイドされ鎖錠片以外の部位に入るのを規制されるため、電線が斜め挿入されても鎖錠片に確実に挿入でき、電線抜けや不完全接続による発煙・発火等のトラブルを起こすことを防止できる。
【００３０】
また接触板の位置規制を接触板に係合する絶縁のケースで構成でき、回転方向や接触板の縦横方向の位置規制等を１つのガイド凸部で兼用できるため、容易に位置規制ができ接触板の外形規制手段を削減できるので小型化できる。
【００３１】
さらにガイド凸部の突出方向のまわりの回転も規制できる。
【００３３】
請求項２記載の電線接続器によれば、請求項１と同様な効果のほか、ガイド凸部と相まって電線の傾き防止効果が高い。
【図面の簡単な説明】
【図１】この発明の第１の実施の形態の電線接続器の要部斜視図である。
【図２】電線接続器の要部断面図である。
【図３】接触板および鎖錠片を示し、（ａ）は部分斜視図、（ｂ）は部分側面図である。
【図４】電源端子台の分解斜視図である。
【図５】第２の実施の形態の要部斜視図である。
【図６】第３の実施の形態の要部断面図である。
【図７】従来例の外観斜視図である。
【図８】その部分断面図である。
【図９】正常接続状態の要部斜視図である。
【図１０】電線を鎖錠片に対して斜めに挿入した状態の部分横断面図である。
【符号の説明】
１    接触板
２、３    鎖錠片
４    ガイド凸部
５    ケース
６    折曲片
７    凹部
８    孔
９    電線
１１    速結端子
３３    収納部
【図１】
0004582845.tif 000002
【図２】
0004582845.tif 000003
【図３】
0004582845.tif 000004
【図４】
0004582845.tif 000005
【図５】
0004582845.tif 000006
【図６】
0004582845.tif 000007
【図７】
0004582845.tif 000008
【図８】
0004582845.tif 000009
【図９】
0004582845.tif 000010
【図１０】
0004582845.tif 000011